(57)【要約】【課題】視聴者の好みの番組を視聴者が望むレイアウトでテレビ画面に表示させることができ、視聴者のチャンネル選択の負担を軽減することができるチャンネルレイアウト記憶システムを提供することを目的とする。【解決手段】デジタルテレビジョン受信装置にチャンネル表示レイアウトを記憶する手段と、リモコンに指紋を認識させる手段を備えることによって、指紋によって視聴者を識別しその視聴者の好みのチャンネルレイアウトを自動的にテレビ画面に表示させる。【選択図】図１
2006186513.tif 000002
【特許請求の範囲】
【請求項１】
デジタルテレビジョン受信装置であって、
複数のチャンネルを選局する選局手段と、
前記選局手段の出力に基づいて複数のチャンネルを同時に復調する復調手段と、
前記復調手段の出力に基づいて複数のチャンネルの映像を合成する合成手段と、
前記合成手段の出力に基づいて複数のチャンネルの映像レイアウトを記憶する記憶手段と、
使用者個人を識別する個人識別手段を備えたリモコン送信機からの信号を受信するリモコン受信手段と、
前記リモコン受信手段の出力に基づいて前記記憶手段から映像レイアウトを呼び出す呼出手段と、
を備えるチャンネルレイアウト記憶システム。
【請求項２】
個人識別手段は、指紋認識手段である請求項１記載のチャンネルレイアウト記憶システム。
【発明の詳細な説明】
【技術分野】
【０００１】
本発明はデジタルテレビジョン受信装置におけるチャンネル表示レイアウトを記憶するシステムに関するものである。
【背景技術】
【０００２】
従来、テレビジョン受信装置におけるチャンネル表示レイアウトを支援するシステムは関連する番組を自動的に画面にレイアウトすることを目的としており、関連性の無い番組をレイアウトしたり、使用者によってレイアウトを変えることができない（例えば特許文献１参照。）。
【特許文献１】特開２０００−２３０３０号公報
【発明の開示】
【発明が解決しようとする課題】
【０００３】
しかしながら、テレビジョン受信装置のデジタル化、大画面化により今後多チャンネルの同時表示が必要になると予想されるが、膨大なチャンネルの中から表示させたいチャンネルを選択するのは容易ではない。また視聴者によって好みのチャンネルが異なるため、視聴者が変わるたびに表示レイアウトも変わってしまうという課題を有している。
【０００４】
本発明は、視聴者の好みの番組を視聴者が望むレイアウトでテレビ画面に表示させることができ、視聴者のチャンネル選択の負担を軽減することができるチャンネルレイアウト記憶システムを提供することを目的とする。
【課題を解決するための手段】
【０００５】
本発明のチャンネルレイアウト記憶システムは、デジタルテレビジョン受信装置であって、複数のチャンネルを選局する選局手段と、前記選局手段の出力に基づいて複数のチャンネルを同時に復調する復調手段と、前記復調手段の出力に基づいて複数のチャンネルの映像を合成する合成手段と、前記合成手段の出力に基づいて複数のチャンネルの映像レイアウトを記憶する記憶手段と、使用者個人を識別する個人識別手段を備えたリモコン送信機からの信号を受信するリモコン受信手段と、前記リモコン受信手段の出力に基づいて前記記憶手段から映像レイアウトを呼び出す呼出手段と、を備えることを特徴とする。
【０００６】
また、個人識別手段は、指紋認識手段であることを特徴とする。
【発明の効果】
【０００７】
以上のように、本発明のデジタルテレビジョン受信装置によれば、膨大なチャンネルの中から、視聴者の好みの番組を視聴者が望むレイアウトでテレビ画面に表示させることができ、視聴者のチャンネル選択の負担を軽減することができる。
【発明を実施するための最良の形態】
【０００８】
（実施の形態１）
以下本発明の実施の形態について、図面を参照しながら説明する。
【０００９】
図１は、チャンネルレイアウト記憶システムを搭載したデジタルテレビジョン受信装置の構成を示している。デジタルテレビジョン受信装置１０１はＢＳ／ＣＳデジタル放送及び地上波デジタル放送を受信可能であり、屋外に設置された地上波アンテナ１０２及びＢＳ／ＣＳデジタルアンテナ１０３が接続されている。アンテナからの信号はフロントエンド１０５にて選局及びデジタル復調され、デジタルデコーダ１０６にて複数の映像、音声およびその他データの復調が行なわれ、映像信号はディスプレイパネル１１３にて表示され、音声信号はスピーカー１１４にて再生される。また、ＩＣカード１０７はＩＣカードインターフェース１０８を介してＣＰＵ１１０と接続され、限定受信を解除するためのデータ通信を行なう。有料番組を視聴した際の課金情報などはネットワークインターフェース１０７および外部ネットワークを介して管理会社（サーバー）へ送られる。デジタルテレビジョン受信装置１０１はリモコン受光部を備え、リモコン１１５からの信号を受信、解読し所望の動作を行なう。リモコン１１５には個人識別手段である指紋認識部１１６を有し指紋を認識、記憶することができる。
【００１０】
デジタルテレビジョン受信装置１０１はフロントエンド１０５を複数備え、複数のチャンネルを同時に選局することができ、デジタルデコーダ１０６はフロントエンド１０５からの複数チャンネルのデータを同時に復調することができ、複数の映像信号をテレビ画面上で任意のサイズ、位置に合成することが可能である。そのテレビ画面のレイアウト情報はリモコン１１５のレイアウト記憶ボタン１１８を押すことでメモリ１１２に記憶することができる。画面のレイアウトはあらかじめデジタルテレビジョン受信装置１０１に用意されていても構わない。
【００１１】
視聴者はリモコン１１５の指紋認識部１１６を用いて指紋をリモコン１１５に記憶させ、同時にメモリ１１２に記憶されたテレビ画面レイアウトと１対１に関連付けることができ、リモコンに指紋を認識させるだけで好みのチャンネルを選択しかつ好みの画面レイアウトを呼び出すことが可能となる。
【００１２】
図２は、チャンネルレイアウト例を示している。デジタルテレビジョン受信装置１０１のメモリ１１２に図２（ａ）および図２（ｂ）のチャンネルレイアウトが記憶されているとする。視聴者Ａが自身の指紋に対し図２（ａ）のチャンネルレイアウトを関連付けさせていたとすると、視聴者Ａがリモコン１１５の指紋認識部１１６に指紋を認識させるだけで図２（ａ）のチャンネルレイアウトが呼び出される。表示されているチャンネルの中の一つはメインチャンネルであり、デジタルテレビジョン受信装置１０１のスピーカー１１４からはそのメインチャンネルの音声が出力される。また、一つの指紋に対しチャンネルレイアウトは複数関連付けることができ、指紋を認識させた後のある一定時間内にリモコン１１５の数字キー１１７のいずれかを押すことでその数字キーに対応したレイアウトを呼び出すことが可能である。例えば視聴者Ａの指紋に対し、図２（ａ）のレイアウトをリモコン１１５の数字キー１に、図２（ｂ）のレイアウトをリモコン１１５の数字キー２に関連付けることにより指紋を認識させた後にリモコン１１５の数字キー１を押すことで図２（ａ）のレイアウトを、数字キー２を押すことで図２（ｂ）のレイアウトを呼び出すことが可能である。２つのレイアウトについて説明したが、レイアウトを関連付けられる数はおよび表示できるチャンネル数は特に限定されるものではない。
【産業上の利用可能性】
【００１３】
テレビジョン受信装置のみならず今後多様化、多機能化、複雑化する家電製品において、使用者によって使い方が異なる機器に利用可能であり、使用者を識別することによって、複雑な機器をその使用者が使いやすいようにすることができる。
【図面の簡単な説明】
【００１４】
【図１】チャンネルレイアウト記憶システムを内蔵したデジタルテレビジョン受信装置の模式図
【図２】チャンネルレイアウト例を示す図
【符号の説明】
【００１５】
１０１    デジタルテレビジョン受信装置
１０２    地上波アンテナ
１０３    ＢＳ／ＣＳアンテナ
１０４    外部ネットワーク
１０５    フロントエンド（選局、復調回路）
１０６    デジタルデコーダ
１０７    ネットワークインターフェース
１０８    ＩＣカードインターフェース
１０９    ＩＣカード
１１０    ＣＰＵ
１１１    リモコン受光部
１１２    メモリ
１１３    ディスプレイパネル
１１４    スピーカー
１１５    指紋認識リモコン
１１６    指紋認識部
１１７    数字キー
１１８    レイアウト保存ボタン
２０１    チャンネルレイアウト１
２０２    チャンネルレイアウト１のメインチャンネル
２０３    チャンネルレイアウト２
２０４    チャンネルレイアウト２のメインチャンネル
【図１】
2006186513.tif 000003
【図２】
2006186513.tif 000004